【手続補正書】
【提出日】平成24年12月12日(2012.12.12)
【手続補正１】
【補正対象書類名】特許請求の範囲
【補正対象項目名】全文
【補正方法】変更
【補正の内容】
【特許請求の範囲】
【請求項１】
熱交換用ターンテーブル（１００、２００）と、
それぞれ二流路を呈する熱交換装置を通過するように流体をポンピングする流体ポンプと、
熱交換装置を通過した冷却流体の状況を測定し、気相または液相流体の成分測定装置（３１）が設置されるように特定し、また温度測定装置（１１）及び湿度測定装置（２１）のうち少なくとも一方を使用する測定装置と、
測定装置の信号を受け取り、測定装置の測定状況により流体ポンプがポンピングした熱交換流体の流量の大小を自動制御する制御装置（２５０）とを含むことを特徴とする交換流量を自動制御する固定式熱交換装置。
【請求項２】
流体ポンプ（１２０ａ）（１２０ｂ）が別々に前記熱交換装置（１０００）の二流路流体の前記第一流体口（ａ）、前記第二流体口（ｂ）、前記第三流体口（ｃ）、前記第四流体口（ｄ）の中に設置されていることにより、それぞれ負圧または正圧を形成する、前記二流路流体ポンピング装置（１２３）が構成され、前記制御装置（２５０）が、前記電源（３００）の電気エネルギーに駆動される前記二流路流体ポンピング装置（１２３）の中で負圧または正圧を形成する前記二方向流体ポンプ（１１１、１１２）を制御することにより、二つの流体がポンピングされ、前記熱交換体（１００）へ流れる流向が異なり、
負圧または正圧を形成する前記二方向流体ポンプ（１１１、１１２）は、一体または別体に設置されていることにより、前記二流路流体ポンピング装置（１２３）を構成し、それぞれ前記第二流体口（ｂ）及び前記第四流体口（ｄ）に設置されることにより、流体を異なる流向へポンピングし、個別または共通の電力モータに駆動され、前記制御装置（２５０）の制御により、負圧のポンピングを行い前記熱交換体（１００）を通過する二流路流体を異なる流向へ圧送する機能および正圧のポンピングを行い前記熱交換体（１００）を通過する二流路流体を異なる流向へ圧送する機能のうち少なくとも一つの機能を有し、
直接または間接的に交換流体の温度変化を測定可能な位置に、前記温度測定装置（１１）を設置し、圧送する気相または液相流体の成分の変化を測定可能な位置に、少なくとも一つの前記気相または液相流体成分測定装置（３１）を設置し、二者或いは少なくともその中の一種を設置し、測定信号を、前記制御装置（２５０）により制御する前記二流路流体ポンピング装置（１２３）により圧送する交換流体流量の大小の制御タイミングの参考とし、
前記温度測定装置（１１）及び前記気相または液相流体成分測定装置（３１）は、一体または別体に設置されており、
前記電源（３００）は、作動電気エネルギーを提供することを特徴とする請求項１に記載の交換流量を自動制御する固定式熱交換装置。
【請求項３】
前記二方向流体ポンプ（１１１、１１２）を前記第一流体口（ａ）及び前記第四流体口（ｄ）に設置し、或いは前記第二流体口（ｂ）及び前記第三流体口（ｃ）に設置し、かつその中の一つの前記二方向流体ポンプにより正圧でポンピングし、別の前記二方向流体ポンプは負圧のポンピングすることにより、前記熱交換体（１００）を通過する二流路流体を異なる流向へ圧送することを特徴とする請求項２に記載の交換流量を自動制御する固定式熱交換装置。
【請求項４】
前記熱交換装置（１０００）の前記第一流体口（ａ）、前記第二流体口（ｂ）、前記第三流体口（ｃ）及び前記第四流体口（ｄ）に、それぞれ一流向へポンピングする第一一方向流体ポンプ（１２０ａ）、第二一方向流体ポンプ（１２０ｂ）、第三一方向流体ポンプ（１２０ｃ）及び第四一方向流体ポンプ（１２０ｄ）を設置することにより、前記二流路流体ポンピング装置（１２３）が構成され、前記制御装置（２５０）により、前記二流路流体ポンピング装置（１２３）により圧送され前記熱交換体（１００）へ流れる二流路流体の流向が異なるように制御し、
前記熱交換装置（１０００）、前記第一一方向流体ポンプ（１２０ａ）、前記第二一方向流体ポンプ（１２０ｂ）、前記第三一方向流体ポンプ（１２０ｃ）及び前記第四一方向流体ポンプ（１２０ｄ）は、一体または別体に設置されることにより、前記二流路流体ポンピング装置（１２３）を構成し、
四つの一方向流体ポンプ前記第一一方向流体ポンプ（１２０ａ）、前記第二一方向流体ポンプ（１２０ｂ）、前記第三一方向流体ポンプ（１２０ｃ）及び前記第四一方向流体ポンプ（１２０ｄ）は、それぞれ前記第一流体口（ａ）、前記第二流体口（ｂ）、前記第三流体口（ｃ）及び前記第四流体口（ｄ）に設置されることにより、流体をポンピングし、前記第一流体口（ａ）及び前記第三流体口（ｃ）に設置する前記第一一方向流体ポンプ（１２０ａ）及び前記第三一方向流体ポンプ（１２０ｃ）が、１セットであり、個別または共通の電力モータにより駆動され、前記第二流体口（ｂ）及び前記第四流体口（ｄ）に設置する前記第二一方向流体ポンプ（１２０ｂ）及び前記第四一方向流体ポンプ（１２０ｄ）が、別セットであり、個別または共通の電力モータにより駆動され、前記制御装置（２５０）により制御され、前記一方向流体ポンプが流体に対して負圧のポンピング構造を設置することにより二流路流体を異なる流向にする第一機能、前記一方向流体ポンプが流体に対して正圧のポンピング構造を設置することにより二流路流体を異なる流向にする第二機能、または、一部または全部の前記第一一方向流体ポンプ（１２０ａ）と前記第二一方向流体ポンプ（１２０ｂ）と前記第三一方向流体ポンプ（１２０ｃ）と前記第四一方向流体ポンプ（１２０ｄ）との同じ流路の異なる流体ポンプが正圧のポンピング及び負圧のポンピングにより補助ポンピングを形成し二流路流体を異なる流向へ圧送する第三機能のうち少なくとも一つの機能を有し、前記三種類の機能が作動するとき、前記熱交換装置（１０００）の内部の前記熱交換体（１００）の両側を通過する二流路流体の流向は、全て逆となり、
直接または間接的に交換流体の温度変化を測定可能な位置に、前記温度測定装置（１１）を設置し、圧送する気相または液相流体の成分の変化を測定可能な位置に、少なくとも一つの前記気相または液相流体成分測定装置（３１）を設置し、二者或いは少なくともその中の一種を設置し、測定信号を、前記制御装置（２５０）により制御する前記二流路流体ポンピング装置（１２３）により圧送する交換流体流量の大小の制御タイミングの参考とし、
前記温度測定装置（１１）及び前記気相または液相流体成分測定装置（３１）は、一体または別体に設置されており、
前記電源（３００）は、作動電気エネルギーを提供することを特徴とする請求項１に記載の交換流量を自動制御する固定式熱交換装置。
【請求項５】
前記熱交換装置（１０００）の前記第一流体口（ａ）、前記第二流体口（ｂ）、前記第三流体口（ｃ）、前記第四流体口（ｄ）の中の前記第二流体口（ｂ）及び前記第四流体口（ｄ）に、それぞれ負圧または正圧を形成する前記二方向流体ポンプ（１１１、１１２）を設置し、前記二流路流体ポンピング装置（１２３）が構成され、前記制御装置（２５０）により、前記二流路流体ポンピング装置（１２３）の中で負圧または正圧を形成する二方向流体ポンプ（１１１、１１２）を制御することにより、二流路流体を異なる流向へポンピングし、
前記熱交換装置（１０００）と負圧または正圧を形成する前記二方向流体ポンプ（１１１、１１２）は、一体または別体に設置されることにより、前記二流路流体ポンピング装置（１２３）を構成し、
二つの負圧または正圧を形成する前記二方向流体ポンプ（１１１、１１２）は、それぞれ前記第二流体口（ｂ）及び前記第四流体口（ｄ）に設置することにより、流体を異なる流向へポンピングし、個別または共通の電力モータにより駆動され、前記制御装置（２５０）の制御により、二つの前記二方向流体ポンプ（１１１、１１２）により負圧のポンピングを行い全熱交換体（２００）を通過する二流路流体を異なる流向へ圧送する第一機能、および二つの前記二方向流体ポンプ（１１１、１１２）により正圧のポンピングを行い前記全熱交換体（２００）を通過する二流路流体を異なる流向へ圧送する第二機能を有し、前記第一機能および第二機能が作動するとき、前記熱交換装置（１０００）内部の前記全熱交換体（２００）の両側を通過する二流路流体の流向は、全て逆となり、
直接または間接的に交換流体の温度変化、湿度変化、または気相また液相流体の成分変化を測定可能な位置に、前記温度測定装置（１１）、前記湿度測定装置（２１）、または前記気相または液相流体成分測定装置（３１）のうち少なくとも一つを設置し、測定信号を、前記制御装置（２５０）により制御する前記二流路流体ポンピング装置（１２３）により圧送する交換流体流量の大小の制御タイミングの参考とし、
前記温度測定装置（１１）と前記湿度測定装置（２１）と前記気相また液相流体成分測定装置（３１）とは、一体または別体に形成され、
前記電源（３００）は、作動電気エネルギーを提供することを特徴とする請求項５に記載の交換流量を自動制御する固定式熱交換装置。
【請求項６】
前記二方向流体ポンプ（１１１、１１２）を前記第一流体口（ａ）及び前記第四流体口（ｄ）、或いは、前記第二流体口流体口（ｂ）及び前記第三流体口（ｃ）に設置し、かつその中の一つの前記二方向流体ポンプが正圧でポンピングし、別の前記二方向流体ポンプが負圧でポンピングすることにより、前記全熱交換体（２００）を通過する二流路流体を異なる流向へ圧送することを特徴とする請求項３に記載の交換流量を自動制御する固定式熱交換装置。
【請求項７】
前記熱交換装置（１０００）の前記第一流体口（ａ）、前記第二流体口（ｂ）、前記第三流体口（ｃ）及び前記第四流体口（ｄ）に、それぞれ一流向へポンピングする第一一方向流体ポンプ（１２０ａ）、第二一方向流体ポンプ（１２０ｂ）、第三一方向流体ポンプ（１２０ｃ）及び第四一方向流体ポンプ（１２０ｄ）を設置することにより、前記二流路流体ポンピング装置（１２３）が構成され、前記制御装置２５０により、前記二流路流体ポンピング装置（１２３）にポンピングされる二流路流体の流向は異なるよう前記二流路流体ポンピング装置（１２３）が制御され、
前記第一一方向流体ポンプ（１２０ａ）、前記第二一方向流体ポンプ（１２０ｂ）、前記第三一方向流体ポンプ（１２０ｃ）及び前記第四一方向流体ポンプ（１２０ｄ）は、一体または別体に設置され、前記二流路流体ポンピング装置（１２３）を構成し、それぞれ前記第一流体口（ａ）、前記第二流体口（ｂ）、前記第三流体口（ｃ）及び前記第四流体口（ｄ）に設置されることにより、流体をポンピングし、前記第一流体口（ａ）及び前記第三流体口（ｃ）に設置される前記第一一方向流体ポンプ（１２０ａ）及び前記第三一方向流体ポンプ（１２０ｃ）が１セットとなり、個別または共通の電力モータにより駆動され、前記第二流体口（ｂ）及び前記第四流体口（ｄ）に設置する前記第二一方向流体ポンプ（１２０ｂ）及び前記第四一方向流体ポンプ（１２０ｄ）が別セットとなり、個別または共通の電力モータにより駆動され、前記制御装置（２５０）により制御され、前記一方向流体ポンプが流体に対して負圧のポンピング構造を設置することにより二流路流体を異なる流向にする第一機能、前記一方向流体ポンプが流体に対して正圧のポンピング構造を設置することにより二流路流体を異なる流向にする第二機能、または、一部または全部の前記第一二方向流体ポンプ（１２０ａ）と前記第二一方向流体ポンプ（１２０ｂ）と前記第三一方向流体ポンプ（１２０ｃ）と前記第四一方向流体ポンプ（１２０ｄ）との同じ流路の異なる流体ポンプが正圧のポンピング及び負圧のポンピングにより補助ポンピングを形成し二流路流体を異なる流向へ圧送する第三機能のうち少なくとも一つの機能を有し、
直接または間接的に圧送される交換流体の温度変化、湿度変化、または気相また液相流体の成分変化を測定可能な位置に、前記温度測定装置（１１）、前記湿度測定装置（２１）、および前記気相または液相流体成分測定装置（３１）のうち少なくとも一つを設置し、測定信号を、前記制御装置（２５０）により制御する前記二流路流体ポンピング装置（１２３）により圧送する交換流体流量の大小の制御タイミングの参考とし、
前記温度測定装置（１１）と前記湿度測定装置（２１）と前記気相また液相流体成分測定装置（３１）とは、一体または別体に設置され、
前記電源（３００）は、作動電気エネルギーを提供し、交流または直流の市内電源システムまたは独立型電気エネルギー供給装置であり、
前記全熱交換体（２００）は、内部に二つの流体通路また吸熱または放熱及び湿度を吸収または放出する機能を持つ全熱交換体を有し、二つの流体通路は個別の前記第一流体口（ａ）、前記第二流体口（ｂ）、前記第三流体口（ｃ）または前記第四流体口（ｄ）を有し、それぞれ流体を圧送し、また二つの流体間で熱交換及び除湿機能を有する全熱交換構造であることを特徴とする請求項１に記載の交換流量を自動制御する固定式熱交換装置。
【請求項８】
熱交換体または全熱交換体の構造は、線形またはその他の幾何形状の管状構造を呈すことが可能である構造、気相または液相の流体通路が通過する多層構造体により構成可能である構造、ワンウェイまたはワンウェイ以上の流体通路を直列接続、並列接続、および直並列接続により構成可能である構造のうち少なくとも一つの構造を有することを特徴とする請求項７に記載の交換流量を自動制御する固定式熱交換装置。
【請求項９】
温度測定装置（１１）、湿度測定装置（２１）、及び気相または液相流体成分測定装置（３１）のうち少なくとも一つがさらに設置され、
温度測定装置（１１）、湿度測定装置（２１）、及び気相または液相流体成分測定装置（３１）は、前記熱交換装置（１０００）、前記熱交換体（１００）、または前記全熱交換体（２００）の前記第一流体口（ａ）及び前記第二流体口（ｂ）の二つの位置またはその中の一つの近くに設置され、または前記第三流体口（ｃ）及び前記第四流体口（ｄ）の二つの位置またはその中の一つの近くに設置され、またはその他の熱交換が作動するときに、交換流体の温度または湿度または流体の成分を測定可能な位置に設置され、測定信号を、前記二流路流体ポンピング装置（１２３）が制御するときのポンピングする流体流速の速さまたは流量の大小の制御タイミング、および、流体バルブのオープン量を制御するときのポンピングする流体流速の速さまたは流量の大小の制御タイミングのうち少なくとも一方の参考とし、
前記温度測定装置（１１）、前記湿度測定装置（２１）及び前記気相または液相流体の成分測定装置（３１）は、全部または一部の測定装置が同一構造であり、また別体に設置されてもよいことを特徴とする請求項１に記載の交換流量を自動制御する固定式熱交換装置。
【請求項１０】
前記二流路流体ポンピング装置（１２３）は、気相または液相の流体をポンピングし、前記二流路流体ポンプ（１２３）が、個別の電力モータにより駆動され、少なくとも二つの流体ポンプが共通の電気駆動モータ二駆動され、エンジン動力、風エネルギー、熱エネルギー、温度差エネルギー、或いは太陽エネルギーにより転換される機械エネルギー、または、電気エネルギーにより駆動されることを特徴とする請求項９に記載の交換流量を自動制御する固定式熱交換装置。